【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
記録位置によってアクセス速度が異なる記録媒体に、ＪＰＥＧ２０００方式で圧縮符号化された画像データを記録する情報記録装置の制御方法であって、
ＪＰＥＧ２０００方式で圧縮符号化された画像データであって、所定画像領域の画像データが最上位ビット側に配置された画像データを入力する入力工程と、
入力された画像データの最上位ビット側に配置された前記所定画像領域の画像データを指定する指定工程と、
指定された最上位ビット側の画像データを残りの画像データに優先して高速アクセス可能な記録領域に記録する記録工程と
を備えることを特徴とする情報記録装置の制御方法。
【請求項２】
前記記録工程が、入力された画像データのビット列のうち、先頭から所定長のビット列を前記記録領域に記録することを特徴とする請求項１記載の情報記録装置の制御方法。
【請求項３】
記録位置によってアクセス速度が異なる記録媒体に、ＪＰＥＧ２０００方式で圧縮符号化された画像データを記録する情報記録装置の制御方法であって、
ＪＰＥＧ２０００方式で圧縮符号化された画像データを入力する入力工程と、
入力された画像データの最上位ビット側に配置された前記所定画像領域の画像データを指定する指定工程と、
指定された最上位ビット側の画像データ以外の画像データを該最上位ビット側の画像データに優先して高速アクセス可能な記録領域に記録する記録工程と
を備えることを特徴とする情報記録装置の制御方法。
【請求項４】
前記記録工程が、入力された画像データのビット列のうち、先頭から所定長のビット列以外のビット列を前記記録領域に記録することを特徴とする請求項３記載の情報記録装置の制御方法。
【請求項５】
前記記録媒体が光ディスクであって、
前記高速アクセス可能な記録領域が、該光ディスクの内周部分に設けられていることを特徴とする請求項１から４までのいずれか１項に記載の情報記録装置の制御方法。
【請求項６】
前記記録領域に記録された前記画像データの所定のビット列以外のビット列を前記記録媒体における第２の記録領域に記録する第２の記録工程をさらに備えることを特徴とする請求項１から５までのいずれか１項に記載の情報記録装置の制御方法。
【請求項７】
入力された画像データのヘッダ情報を読み取るヘッダ情報読取工程と、
読み取られたヘッダ情報に基づいて、入力された画像データのビット列を所定のビット列に並び替えるビット列整列工程と
をさらに備えることを特徴とする請求項１から６までのいずれか１項に記載の情報記録装置の制御方法。
【請求項８】
前記記録媒体に記録される画像データを管理するファイルシステムが、ユニバーサル・ディスク・フォーマットであることを特徴とする請求項１から７までのいずれか１項に記載の情報記録装置の制御方法。
【請求項９】
前記画像データのビット列が、レイヤー、レゾリューション=レベル、コンポーネント、ポジションの順で並んでいることを特徴とする請求項１から８までのいずれか１項に記載の情報記録装置の制御方法。
【請求項１０】
入力された画像データの所定画像領域を指定する画像領域指定工程と、
前記所定画像領域の画像データを最上位ビット側に配置して、入力された画像データをＪＰＥＧ２０００方式で圧縮符号化する圧縮符号化工程と、
ＪＰＥＧ２０００方式で圧縮符号化する際の所定のパラメータを入力するパラメータ入力工程と
をさらに備えることを特徴とする請求項１から９までのいずれか１項に記載の情報記録装置の制御方法。
【請求項１１】
記録位置によってアクセス速度が異なる記録媒体に、モーションＪＰＥＧ２０００方式で圧縮符号化された動画像データを記録する情報記録装置の制御方法であって、
モーションＪＰＥＧ２０００方式で圧縮符号化された動画像データであって、該動画像データを構成する各フレームの画像データにおいて所定画像領域の画像データが最上位ビット側に配置された動画像データを入力する入力工程と、
入力された動画像データから所定のフレームを選択するフレーム選択工程と、
選択されたフレームのビット列のうち、最上位ビット側に配置された前記所定画像領域の画像データを指定する指定工程と、
指定された最上位ビット側の画像データを残りの動画像データに優先して高速アクセス可能な記録領域に記録する記録工程と
を備えることを特徴とする情報記録装置の制御方法。
【請求項１２】
記録位置によってアクセス速度が異なる記録媒体に、モーションＪＰＥＧ２０００方式で圧縮符号化された動画像データを記録する情報記録装置の制御方法であって、
モーションＪＰＥＧ２０００方式で圧縮符号化された動画像データであって、該動画像データを構成する各フレームの画像データにおいて所定画像領域の画像データが最上位ビット側に配置された動画像データを入力する入力工程と、
入力された動画像データから所定のフレームを選択するフレーム選択工程と、
選択されたフレームのビット列のうち、最上位ビット側に配置された前記所定画像領域の画像データを指定する指定工程と、
指定された最上位ビット側の画像データ以外の画像データを前記所定画像領域の画像データに優先して高速アクセス可能な記録領域に記録する記録工程と
を備えることを特徴とする情報記録装置の制御方法。
【請求項１３】
記録位置によってアクセス速度が異なる記録媒体に、ＪＰＥＧ２０００方式で圧縮符号化された画像データを記録する情報記録装置であって、
ＪＰＥＧ２０００方式で圧縮符号化された画像データであって、所定画像領域の画像データが最上位ビット側に配置された画像データを入力する入力手段と、
入力された画像データの最上位ビット側に配置された前記所定画像領域の画像データを指定する指定手段と、
指定された最上位ビット側の画像データを残りの画像データに優先して高速アクセス可能な記録領域に記録する記録手段と
を備えることを特徴とする情報記録装置。
【請求項１４】
記録位置によってアクセス速度が異なる記録媒体に、ＪＰＥＧ２０００方式で圧縮符号化された画像データを記録する情報記録装置であって、
ＪＰＥＧ２０００方式で圧縮符号化された画像データを入力する入力手段と、
入力された画像データの最上位ビット側に配置された前記所定画像領域の画像データを指定する指定手段と、
指定された最上位ビット側の画像データ以外の画像データを該最上位ビット側の画像データに優先して高速アクセス可能な記録領域に記録する記録手段と
を備えることを特徴とする情報記録装置。
【請求項１５】
記録位置によってアクセス速度が異なる記録媒体に、モーションＪＰＥＧ２０００方式で圧縮符号化された動画像データを記録する情報記録装置であって、
モーションＪＰＥＧ２０００方式で圧縮符号化された動画像データであって、該動画像データを構成する各フレームの画像データにおいて所定画像領域の画像データが最上位ビット側に配置された動画像データを入力する入力手段と、
入力された動画像データから所定のフレームを選択するフレーム選択手段と、
選択されたフレームのビット列のうち、最上位ビット側に配置された前記所定画像領域の画像データを指定する指定手段と、
指定された最上位ビット側の画像データを残りの動画像データに優先して高速アクセス可能な記録領域に記録する記録手段と
を備えることを特徴とする情報記録装置。
【請求項１６】
記録位置によってアクセス速度が異なる記録媒体に、モーションＪＰＥＧ２０００方式で圧縮符号化された動画像データを記録する情報記録装置であって、
モーションＪＰＥＧ２０００方式で圧縮符号化された動画像データであって、該動画像データを構成する各フレームの画像データにおいて所定画像領域の画像データが最上位ビット側に配置された動画像データを入力する入力手段と、
入力された動画像データから所定のフレームを選択するフレーム選択手段と、
選択されたフレームのビット列のうち、最上位ビット側に配置された前記所定画像領域の画像データを指定する指定手段と、
指定された最上位ビット側の画像データ以外の画像データを前記所定画像領域の画像データに優先して高速アクセス可能な記録領域に記録する記録手段と
を備えることを特徴とする情報記録装置。
【請求項１７】
記録位置によってアクセス速度が異なる記録媒体に、ＪＰＥＧ２０００方式で圧縮符号化された画像データを記録する情報記録装置を制御するためのコンピュータプログラムであって、
ＪＰＥＧ２０００方式で圧縮符号化された画像データであって、所定画像領域の画像データが最上位ビット側に配置された画像データを入力する入力工程のプログラムコードと、
入力された画像データの最上位ビット側に配置された前記所定画像領域の画像データを指定する指定工程のプログラムコードと、
指定された最上位ビット側の画像データを残りの画像データに優先して高速アクセス可能な記録領域に記録する記録工程のプログラムコードと
を備えることを特徴とするコンピュータプログラム。
【請求項１８】
請求項１７記載のコンピュータプログラムを格納することを特徴とする記録媒体。
【手続補正２】
【補正対象書類名】明細書
【補正対象項目名】００２４
【補正方法】変更
【補正の内容】
【００２４】
【課題を解決するための手段】
上記課題を解決するために、本発明は、記録位置によってアクセス速度が異なる記録媒体に、ＪＰＥＧ２０００方式で圧縮符号化された画像データを記録する情報記録装置の制御方法であって、ＪＰＥＧ２０００方式で圧縮符号化された画像データであって、所定画像領域の画像データが最上位ビット側に配置された画像データを入力する入力工程と、入力された画像データの最上位ビット側に配置された前記所定画像領域の画像データを指定する指定工程と、指定された最上位ビット側の画像データを残りの画像データに優先して高速アクセス可能な記録領域に記録する記録工程とを備えることを特徴とする。
また、上記課題を解決するために、本発明は、記録位置によってアクセス速度が異なる記録媒体に、ＪＰＥＧ２０００方式で圧縮符号化された画像データを記録する情報記録装置であって、ＪＰＥＧ２０００方式で圧縮符号化された画像データであって、所定画像領域の画像データが最上位ビット側に配置された画像データを入力する入力手段と、入力された画像データの最上位ビット側に配置された前記所定画像領域の画像データを指定する指定手段と、指定された最上位ビット側の画像データを残りの画像データに優先して高速アクセス可能な記録領域に記録する記録手段とを備えることを特徴とする。